(57)【要約】      （修正有）【課題】生ごみ処理装置つきの新たなシンクに取り換えることなく既に設置されている従来の流し台のシンクにおける排水口に生ごみを下水に流すことのない安価な生ごみ脱水機を容易に取り付け、かつ、円滑に回転させることができるための装置を提供する。【解決手段】支持装置１０は、防臭わん部２０と軸部３０を有するものであり、シンクの排水口内に配置されている防臭わんに替えて使用するものであり、支持装置１０上に生ごみ脱水機を載置することにより、生ごみ脱水機の軸受け部を軸部が支持することで、スムーズに生ごみ脱水機を回転させることができる。【選択図】図１
2016204129.tif 000002
【特許請求の範囲】
【請求項１】
生ごみ脱水機におけるごみかご本体の底部を回転可能に支持する支持装置であって、前記支持装置は軸部を有し、前記軸部は排水口の底部に配置したことを特徴とする生ごみ脱水機の支持装置。
【請求項２】
前記軸部は排水口の底部における排出口に配置したフィルター部に設けることを特徴とする請求項１記載の生ごみ脱水機の支持装置。
【請求項３】
前記排水口の底部に、防臭わん部を配置し、前記防臭わん部は筒部と筒上部を有し、軸部は前記筒上部のほぼ中心に配置したことを特徴とする請求項１記載の生ごみ脱水機の支持装置。
【請求項４】
前記軸部は、防臭わん部の筒上部に配置したつまみ部に配置したことを特徴とする請求項３記載の生ごみ脱水機の支持装置。
【請求項５】
前記つまみ部は、十字状あるいはＹの字状を呈することを特徴とする請求項３または４項記載の生ごみ脱水機の支持装置。
【請求項６】
ごみかご本体の底部における中心を、前記請求項１から５のいずれか１項記載の生ごみ脱水機の支持装置によって支持することを特徴とする生ごみ脱水機。
【請求項７】
生ごみ脱水機は、ごみかご本体と、蓋体と回転体と駆動体を有し、駆動体を回転させるとこれと噛合する回転体が回転し、回転体が有するかご体係合部がごみかご本体を回転させるとともに当該ごみかご本体の底部における中心を、前記請求項１から６のいずれか１項記載の生ごみ脱水機の支持装置によって支持することを特徴とする生ごみ脱水機。
【発明の詳細な説明】
【技術分野】
【０００１】
本発明は、生ごみ脱水機の支持装置及び生ごみ脱水機に関するものである。
【背景技術】
【０００２】
従来、生ごみを処理するためには、流し台のシンクに置かれた三角コーナーに、水切りネットをかけ、それに生ごみを入れることによって自然に水切りがなされるのを待ちつつ、その三角コーナーが生ごみで満たされると、さらに水気を切ってから水切りネットごとごみ箱に捨てることによって処理をしていた。
【０００３】
このような三角コーナーを流し台のシンクに配置すると、調理の妨げになる場合があることから、これを防ぐために、シンクにおける排水口内に生ごみ籠を配置していた。また、当該生ごみ籠の下に、下水管から室内に害虫や悪臭が流入するのを防止するために、排水を滞留した封水とそれを留め置く防臭わんと呼ばれる部材が配置されている。これは封水と防臭わんによって下水管からの悪臭等を遮断し、かつ、この生ごみ籠により、排水時において下水管に生ごみ等がそのまま流されることなく該生ごみを回収することができる公知の構成である。また、シンクの排水口内に生ごみ籠が設置されている場合において、防臭わんと封水を設けることなく排水管を屈曲するように構成する、いわゆるＳ字トラップを設けることで悪臭等を防止する流し台も公知である。
【０００４】
これらの水切りは、例えば三角コーナーの場合には生ごみの入った水切りネットを手に持ち水気を絞ったり、あるいはシンクの排水口内に配置された上記生ごみ籠に集められた生ごみの水気を絞ったりした後に当該生ごみを廃棄して処理をする。しかしながら、この場合に悪臭を発する生ごみに触れて水気を切らなければならず、これらの作業は極めて不快である。また、生ごみは最終的に焼却処理されるが、水気があると焼却場の効率を悪化させるものとなる。これを解決するものとして、特開平９−２９０１７３号において生ごみ処理装置なるものが開示されている。
【０００５】
上記生ごみ処理装置は、流し台の底部に形成した集水口から排水口に延びる排水管内が隔壁により前記集水口に連通する生ごみ回収室と前記排水口に連通する排水室とに区画され、前記隔壁の側部に複数の脱水孔を有する脱水部が形成されると共に、前記隔壁の底部に複数のごみ排出孔を有する固定カッターが設けられ、前記生ごみ回収室内に生ごみ圧搾用スクリューが回転駆動可能に配置されると共に、該スクリューの先端に前記固定カッターに接近して回転カッターが設けられていることを特徴とするものである。
【０００６】
しかしながら、上記発明に係る生ごみ処理装置は、あらかじめ、シンクに組み込まれているものであることから、この生ごみ処理装置を設置するためにはシンク全体を交換しなければならずコストがかさむことになる。また、生ごみを固定カッターで粉砕し、そのまま下水管に流すという構成であることから、家庭内において生ごみを処理する必要がないが、粉砕された生ごみが下水管を塞ぐ場合がある。また、また自治体によっては下水の処理の能力の関係から処理するための負担を生じさせる場合がある。
【先行技術文献】
【特許文献】
【０００７】
【特許文献１】特開平９−２９０１７３号公報
【発明の概要】
【発明が解決しようとする課題】
【０００８】
本発明の課題は、生ごみ処理装置付の新たなシンクに取り換えることなく、既に設置されている従来の流し台のシンクにおける排水口の底部において支持装置を提供することである。また、流し台のシンクにおける排水口の底部に配置されている防臭わんと代替可能であり、生ごみ脱水機におけるごみかご本体を円滑に回転することができ、かつ容易に取り付けることができる支持装置を提供することを目的とする。さらに、前記支持装置により支持した前記生ごみ脱水機を提供することを目的とする。
【０００９】
上記目的に鑑み鋭意研究の結果、本発明者は、排水口内に生ごみ脱水機を配置した場合において当該ごみかご本体の底部の中心を支えることにより、ごみかご本体がスムーズに回転することによって、生ごみの効率的な脱水ができることを発見した。すなわち、排水口の底部に軸部を配置することによって、当該脱水機におけるごみかご本体の底部の中心を支持し、当該ごみかご本体のスムーズな回転ができることを見出し、本発明に想到したものである。このような発見のもと、前記の課題を解決するため、本発明は、生ごみ脱水機におけるごみかご本体の底部を回転可能に支持する支持装置であって、前記支持装置は排水口の底部に軸部を配置するという手段を講じたものである。
【００１０】
上記発明は、流し台のシンクの排水口の底部に軸部を配置することで生ごみ脱水機におけるごみかご本体の底部の中心を支持するというものである。これによって、当該生ごみ脱水機におけるごみかご本体の底部のほぼ中心に配置された軸受け部が当該装置によって支えられているので生ごみ脱水機におけるごみかご本体の回転がスムーズになり確実に生ごみを脱水することができる。
【００１１】
また、前記軸部は排水口の底部における排出口に配置したフィルター部に設けるという手段を講じたものである。排水口の底部に排出口が配置されている場合に、その排出口に配置したフィルター部に軸部を設けることで生ごみ脱水機におけるごみかご本体の底部の中心を支持するというものである。これによって、当該生ごみ脱水機におけるごみかご本体の底部のほぼ中心に配置された軸受け部が当該装置によって支えられているので生ごみ脱水機におけるごみかご本体の回転がスムーズになり確実に生ごみを脱水することができる。なお、上記フィルター部は、排出栓として使用することができる。従って、この排出栓に軸部を設けることができる。
【００１２】
また、前記の課題を解決するため、本発明は、生ごみ脱水機におけるごみかご本体の底部を回転可能に支持する支持装置であって、前記支持装置は防臭わん部と軸部を有し、前記防臭わん部は筒部と上部を有し、前記軸部は前記上部のほぼ中心に配置するという手段を講じたものである。
【００１３】
流し台のシンクの排水口内に生ごみ籠が設けられ、その下に、封水を滞留させ、下水からの悪臭を防ぐために防臭わんを配置している場合がある。その生ごみ籠を生ごみ脱水機に交換する際に、あらかじめ配置されている防臭わんに替えて、前記支持装置を配置し、その上に生ごみ脱水機を配置する。前記支持装置の軸部によって、前記生ごみ脱水機におけるごみかご本体の底部の中心を支持するというものである。これによって、封水を保持するという防臭わんとしての機能を有しつつ当該生ごみ脱水機におけるごみかご本体の底部のほぼ中心に配置された軸受け部が当該装置によって支えられているので生ごみ脱水機におけるごみかご本体の回転がスムーズになり確実に生ごみを脱水することができる。
【００１４】
また、前記の課題を解決するため、本発明における前記軸部は、防臭わん部の上部に配置したつまみ部に配置するという手段を講じたものである。上記のように配置されている防臭わんの上部において、当該防臭わんを取り外すために使用するつまみ部を有する場合がある。このつまみ部は、薄い板状のものが防臭わん本体の上部に立設されているためにその薄い板状の厚みの部分の上に、生ごみ脱水機を載置することになる。しかしながら、防臭わんのつまみ部が生ごみ脱水機の底部を支持したとしても、必ずしも生ごみ脱水機の底部の中心が前記つまみ部に載置されるものではなく、また生ごみ脱水機と防臭わんにおけるつまみ部との接触部分の摩擦抵抗が大きいため、当該生ごみ脱水機をスムーズに回転させることが難しいことから、脱水の効率が低下することになる。そこで、上記支持装置における防臭わん部の上部につまみ部を設けそのつまみ部に軸部を配置することで、当該軸部が、生ごみ脱水機の底部のほぼ中心に配置された軸受け部を支持し、生ごみ脱水機をスムーズに回転させることができる。
【００１５】
また、前記の課題を解決するため、本発明における前記つまみ部は、十字状あるいはＹの字状を呈するという手段を講じたものである。
【００１６】
シンクの排水口の底部において、生ごみ籠の下に配置されている防臭わんの上部につまみ部が設けられている。このつまみ部は薄板状のものをほぼ十字状に立設した構成を有するものと、ほぼＹの字状に立設した構成を有するものが存在しているが、これら、いずれかの防臭わんに替わって配置することができる生ごみ脱水機の支持装置である。
【００１７】
また、ごみかご本体の底部における中心を、前記記載の生ごみ脱水機の支持装置によって支持するという手段を講じたものである。このように、ごみかご本体の底部の中心を支持することで当該ごみかご本体を回転させればスムーズに生ごみ脱水機が回転するので、生ごみを確実に脱水することができる。
【００１８】
また、生ごみ脱水機は、ごみかご本体と、蓋体と回転体と駆動体を有し、駆動体を回転させるとこれと噛合する回転体が回転し、回転体が有するかご体係合部がごみかご本体を回転させるとともに当該ごみかご本体の底部における中心を、上記生ごみ脱水機の支持装置によって支持するという手段を講じたものである。ごみかご本体の底部の中心を上記支持装置によって支持されるために駆動体を手動で回転しても、スムーズに生ごみ脱水機を回転させることができるので、生ごみを確実に脱水することができる。
【発明の効果】
【００１９】
本発明は以上のように構成され、かつ、作用するものであり、従来の流し台のシンクにおける排水口の底部において支持装置を提供することができる。また、従来の流し台のシンクにおける排水口の底部において、防臭わんが配置されている場合において、その防臭わんと代替可能であり、当該支持装置を配置することで、生ごみ脱水機におけるごみかご本体の底部を円滑に回転することができ、かつ容易に取り付けることができる支持装置を提供することができる。さらに、前記支持装置により支持した前記生ごみ脱水機を提供することができる。
【図面の簡単な説明】
【００２０】
【図１】Ａは支持装置の平面図、Ｂは支持装置の側面図
【図２】Ａは他の実施例の支持装置の平面図、Ｂは支持装置の側面図
【図３】Ａは他の実施例の支持装置の平面図、Ｂは支持装置の側面図
【図４】他の実施例の支持装置の斜視図
【図５】他の実施例の支持装置の斜視図
【図６】Ａは生ごみ脱水機の平面図、Ｂは生ごみ脱水機の側面図、Ｃは生ごみ脱水機の断面図
【図７】Ａはごみかご本体の平面図、Ｂはごみかご本体の断面図、Ｃはごみかご本体の側面図
【図８】Ａは他の実施例のごみかご本体の平面図、Ｂは他の実施例のごみかご本体の断面図、Ｃは他の実施例のごみかご本体の側面図
【図９】Ａは蓋体の平面図、Ｂは蓋体の断面図、Ｃは蓋体の側面図、Ｄは蓋体の底面図
【図１０】Ａは回転体の平面図、Ｂは回転体の側面図、Ｃは回転体の断面図
【図１１】Ａは駆動体の平面図、Ｂは駆動体の断面図、Ｃは駆動体の底面図
【図１２】Ａは把持部の側面図、Ｂは把持部の底面図、Ｃは把持部の断面図
【図１３】シンクの排水口の底部に防臭わんを配置する状態の斜視図
【図１４】Ａはシンクの排水口の底部に支持装置と生ごみ脱水機を配置した状態の断面図。Ｂは、シンクの排水口の底部に支持装置と生ごみ脱水機を配置した状態の拡大断面図
【図１５】Ａは、シンクの排水口内に他の実施例の支持装置と生ごみ脱水機を配置した状態の拡大断面図。Ｂは、シンクの排水口内に他の実施例の支持装置と生ごみ脱水機を配置した状態の拡大断面図
【図１６】シンクの排水口の底部に支持装置と生ごみ脱水機を配置した状態の断面図。
【図１７】シンクの排水口の底部におけるフィルター部に支持装置と生ごみ脱水機を配置した状態の断面図
【発明を実施するための最良の形態】
【００２１】
また、本実施例における支持装置１０は、防臭わん部２０と軸部３０を有するものである。前記防臭わん部２０は、筒部２１と筒上部２２を有し、前記筒部２１は文字通り筒状を呈しその一端を前記筒上部２２によって閉塞したものである。また、支え部２３、２３、２３は、防臭わん部２０における筒部２１に対し、平面視放射状に配置されている。これは、排水口２０２内における底部２０５で支持装置１０を支えて、配置するためのものである。このように防臭わん部２０は、封水２０３を保持する防臭わん２１０としての機能を有するものである。
【００２２】
軸部３０は、防臭わん部２０における筒上部２２のほぼ中心において上方に突設されている。すなわち、平面視において筒上部２２のほぼ中央に配置されている。
【００２３】
また他の実施例における支持装置４０は、防臭わん部５０と軸部６０を有するものである。前記防臭わん部５０は、筒部５１と筒上部５２を有し、前記筒部５１は文字通り筒状を呈しその一端を前記筒上部５２によって閉塞したものである。また、支え部５３、５３、５３は、防臭わん部５０における筒部５１に対し、平面視放射状に配置されている。これは、排水口内における底部２０５で支持装置４０を支えるためのものである。このように防臭わん部５０は、封水２０３を保持する防臭わん２２０としての機能を有するものである。また、筒上部５２につまみ部５４を有する。これは、支持装置４０を掴んで取り外すためのもので、平面視十字状を呈するものである。
【００２４】
軸部６０は、防臭わん部５０における筒上部５２に配置されているつまみ部５４のほぼ中心において上方に突設されている。すなわち、軸部６０は平面視において筒上部５２のほぼ中央に配置された平面視十字状のつまみ部５４の交差部５５において上方に突設されている。
【００２５】
また他の実施例における支持装置７０は、防臭わん部８０と軸部９０を有するものである。前記防臭わん部８０は、筒部８１と筒上部８２を有し、前記筒部８１は文字通り筒状を呈しその一端を前記筒上部８２によって閉塞したものである。また、支え部８３、８３、８３は、防臭わん部８０における筒部８１に対し、平面視放射状に配置されている。これは、排水口内における底部２０５で支持装置７０を支えるためのものである。このように防臭わん部８０は、封水２０３を保持する防臭わん２３０としての機能を有するものである。また、筒上部８２につまみ部８４を有する。これは、支持装置７０を掴んで取り外すためのもので、平面視Ｙの字状を呈するものである。
【００２６】
軸部９０は、防臭わん部８０における筒上部８２に配置されているつまみ部８４のほぼ中心において上方に突設されている。すなわち、軸部９０は平面視において筒上部８２のほぼ中央に配置された平面視Ｙの字状のつまみ部８４の交差部８５において上方に突設されている。
【００２７】
また他の実施例における支持装置９５は、少なくとも軸部９６を有するものである。前記軸部９６は、排水口２０２′の底部３００のほぼ中心に配置したものである。この場合軸部９６は、排水口２０２′の底部３００と一体であっても好ましい。なお排出口３０１は排水口２０２′の中心からずれた位置に設けられている。
【００２８】
また他の実施例における支持装置９７は、排水口２０２″の底部４００のほぼ中心に排出口４１０を設けた場合においてその排出口４１０に十字状のフィルター４２０に設けられている。すなわち、前記支持装置９７は、フィルター４２０に軸部９８を配置したものである。なお、十字状のフィルター４２０の交差部４２０ａに軸部９８を立設することが好ましい。また、上記フィルター４２０は、いわゆる排水栓として使用することもでき、この排水栓に軸部を設けることもできる。また、フィルター４２０は、十字状の形状に限られないことは言うまでもない。
【００２９】
生ごみ脱水機１００は、ごみかご本体１２０と、蓋体１４０と回転体１５０と駆動体１６０と把持部１７０を有するものである。また、これらは合成樹脂で製作することができる。ごみかご本体１２０は、底部１２１を有し側面部１２２を有する有底筒状であり上部の開口部１２６に向かって拡径する形状である。また、底部１２１の中心には、前記支持装置１０における軸部３０を受け入れるすり鉢状の軸受け部１２１ａを有している。なお、前記軸受け部１２１ａは、支持装置４０における軸部６０あるいは支持装置７０における軸部９０を受け入れることができる。
【００３０】
また、生ごみの水気が切れるように、側面部１２２は、一定間隔の隙間１２３が、複数設けられている。これは、複数の長片１３３と隙間１２３と短片１３４が交互に並べられて当該側面部１２２を構成し、その、複数の各長片１３３と複数の短片１３４の各下端部は底部１２１において一体化されている。
【００３１】
また、側面部１２２の上部は段差部１２４を有し当該側面部１２２の上方を周回するように配置している。またさらに段差部１２４の上端部はフランジ部１２５を有する。これは、後述の蓋体１４０を取り付けるというよりも載置するためのものである。
【００３２】
複数の各長片１３３の上端部１３３ａは、外方へ突出したフランジ状を呈し、前記段差部１２４の内面で一体となっている。また、複数の短片１３４の各上端部１３４ａは、外方へ突出することなく、ほぼ各長片１３３の上端部１３３ａの直下に位置するものである。したがって、各長片１３３の上端部１３３ａ、上端部１３３ａ同士の間は空所１３３ｂをそれぞれ有することになり、後述の回転体１５０の各かご体係合部１５４が係合するものである。
【００３３】
同様に、ごみかご本体１２０′は、ごみかご本体１２０よりもその容量が小であり、他の構成は、ごみかご本体１２０と同様である。念のため説明すると、ごみかご本体１２０′は、底部１２１′を有し側面部１２２′を有する有底筒状であり上部の開口部１２６′に向かって拡径する形状である。また、底部１２１′の中心には、前記支持装置１０における軸部３０を受け入れるすり鉢状の軸受け部１２１ａ′を有している。なお、前記軸受け部１２１ａ′は、支持装置１０における軸部３０、支持装置４０における軸部６０あるいは支持装置７０における軸部９０を受け入れることができる。
【００３４】
また、生ごみの水気が切れるように、側面部１２２′は、一定間隔の隙間１２３′が、複数設けられている。これは、複数の長片１３３′と隙間１２３′と短片１３４′が交互に並べられて当該側面部１２２′を構成し、その、複数の各長片１３３′と複数の短片１３４′の各下端部は底部１２１′において一体化されている。
【００３５】
また、側面部１２２′の上部は段差部１２４′を有し当該側面部１２２′の上方を周回するように配置している。またさらに段差部１２４′の上端部はフランジ部１２５′を有し、後述の蓋体１４０を取り付けるというよりも載置するためのものである。
【００３６】
複数の各長片１３３′の上端部１３３ａ′は、外方へ突出したフランジ状を呈し、前記段差部１２４′の内面で一体となっている。また、複数の短片１３４′の各上端部１３４ａ′は、外方へ突出することなく、ほぼ各長片１３３′の上端部１３３ａ′の直下に位置するものである。したがって、各長片１３３′の上端部１３３ａ′、上端部１３３ａ′同士の間は空所１３３ｂ′をそれぞれ有することになり、後述の回転体１５０の各かご体係合部１５４が係合するものである。
【００３７】
蓋体１４０は後述する回転体１５０と駆動体１６０を回転可能に収容するものであって、文字通り前記ごみかご本体１２０の蓋として機能することができる。蓋体１４０は、下向きに開口するほぼ短円筒形状を呈するものである。また、つば部１４１の外径部分は、上から順に、つば部大径部１４１ａ、つば部中径部１４１ｂ、つば部小径部１４１ｃが配置され、文字通り、つば部大径部１４１ａ、つば部中径部１４１ｂ、つば部小径部１４１ｃの順に縮径したものであって、口径の異なる排水口に対応するように構成している。このように排水口２０２の口径の大きさは、いくつかのバリエーションがあるものの、上記のつば部中径部１４１ｂ、つば部小径部１４１ｃを蓋体１４０に有することで異なるシンクの排水口の口径に対応することができる。
【００３８】
また、円周溝１４２は、平面視、円形の蓋体１４０においてその中心からずれた位置に配置されている。ここで、ずれた位置とは、円形の蓋体１４０の中心と、円周溝１４２の中心が一致しないということである。また、この円周溝１４２は、後述する駆動体１６０の平面視円形のつば部１６２が配置されるものであり、駆動体１６０が回転するための軌道を規定したものである。よって、これにより駆動体１６０の回転を円滑に行うことができる。また、その円周溝１４２の径は蓋体１４０の径のほぼ半分であるがこれに限定されるものではない。
【００３９】
軸受け部１４３は、後述する駆動体１６０の駆動軸部１６４と嵌合するものであり、駆動体１６０を回転可能に支持するものである。また、空所１４５は、後述の回転体１５０における歯車１５３の一部が配置されるものである。支え部１４６は、後述の駆動体１６０を回転させる場合に支えとなるものである。
【００４０】
軸受け部１４４は、後述する回転体１５０の回転軸部１５２と嵌合するものであり、回転体１５０を回転可能に支持するものである。
【００４１】
回転体１５０は、平面視ほぼ円形の回転本体１５１を有し、その中心に回転軸部１５２が上方へ突出するように配置されている。回転軸部１５２は、２股に分割された先端１５２ａ、１５２ａを有し、その間に、空所１５２ｂを有することによって内径方向に変形可能に構成され、また、該先端１５２ａ、１５２ａは外方に突出した形状を呈することによって、前記軸受け部１４４から回転軸部１５２が抜け出すことを防止しつつ、回転体１５０を回転可能に支持するものである。
【００４２】
歯車１５３は、前記回転軸部１５２周りに配置され、その中心は回転軸部１５２と一致する。またその内部に空所１５３ａを有している。さらに、回転本体１５１の下部には、前記回転本体１５１から垂れ下がるようにかご体係合部１５４が複数配置されている。
【００４３】
駆動体１６０は、全体としてほぼ短円筒形状を呈し、駆動本体１６１の外周を取り囲むようにつば部１６２を配置し、そのつば部１６２の内側即ち内周面に、歯車部１６３を配置している。また駆動軸部１６４は駆動本体１６１における裏側の中心から、前記つば部１６２の内部に突出する構成である。また、駆動軸部１６４は、２股に分割された先端１６４ａ、１６４ａを有し、その間に、空所１６４ｂを有することによって内径方向に変形可能に構成され、また、該先端１６４ａ、１６４ａは外方に突出した形状を呈することによって、前記軸受け部１４３から駆動軸部１６４が抜け出すことを防止しつつ、駆動体１６０を回転可能に支持するものである。また、把持受け部１６５は、後述する把持部１７０と嵌合するものである。
【００４４】
把持部１７０も下向きに開口するものであり、把持部本体１７１とつば部１７２によりほぼ円筒形状を呈するものである。軸部１７３は、中空筒状であり、分割された先端１７３ａ、１７３ａを有し、その間に、空所１７３ｂを有することによって内径方向に変形可能に構成され、また、該先端１７３ａ、１７３ａは外方に突出した形状を呈することによって、前記把持受け部１６５から軸部１７３が抜け出すことを防止しつつ、把持部１７０を回転可能に支持するものである。
【００４５】
ごみかご本体１２０と、蓋体１４０と回転体１５０と駆動体１６０と把持部１７０を組み立てることにより、生ごみ脱水機１００を構成する。この場合、蓋体１４０における円周溝１４２内に、前記駆動体１６０のつば部１６２が配置されると同時に軸受け部１４３は、前記駆動体１６０の駆動軸部１６４と回転可能に嵌合する。
【００４６】
また、回転体１５０は、蓋体１４０における軸受け部１４４に回転可能に支持されるとともに歯車１５３が軸受け部１４４の周りに配置される。このように、蓋体１４０と回転体１５０と駆動体１６０を組み合わせると、回転体１５０における回転軸部１５２周りに配置され、歯車１５３と駆動体１６０におけるつば部１６２の内周面に配置された歯車部１６３が噛合する。本実施例においては、歯車１５３は、歯数が１７であり、歯車部１６３の歯数は６５であるので、駆動体１６０を一回転させると、ごみかご本体１２０は、およそ３．８回転するものである。もっともこのようなギヤ比に限定されるものではないことは言うまでもない。
【００４７】
蓋体１４０と回転体１５０と駆動体１６０が組み合わされたものを、ごみかご本体１２０に配置する。この場合回転体１５０における複数のかご体係合部１５４は、ごみかご本体１２０と係合する。すなわち、複数のかご体係合部１５４は、ごみかご本体１２０の側面部１２２における、各長片１３３の上端部１３３ａと上端部１３３ａの間の空所１３３ｂと、回転体１５０の各かご体係合部１５４が係合する。
【００４８】
流し台２００のシンク２０１の排水口２０２の底部２０５において、封水２０３を滞留させ、下水からの悪臭を防ぐために防臭わん２１０あるいは防臭わん２２０、防臭わん２３０のいずれかが配置されている（図１３参照）。
【００４９】
使用方法としては、流し台２００のシンク２０１における排水口２０２の底部２０５において、図示しない生ごみ籠が配置されている場合がある。この場合、前記生ごみ籠を取り外すと、その下に防臭わん２１０が配置されている。この防臭わん２１０に替えて上記支持装置１０を配置し、その上に生ごみ脱水機１００を配置する。
【００５０】
このとき、生ごみ脱水機１００から、回転体１５０と駆動体１６０が取り付けられた蓋体１４０を一度取り除く。この後、調理することにより排出された生ごみを、ごみかご本体１２０内に回収したのちに、再び上記蓋体１４０をごみかご本体１２０上に載置する。この場合、上記蓋体１４０は、排水口２０２と係合する。すなわち蓋体１４０におけるつば部小径部１４１ｃと係合する（図１４Ａ、１４Ｂ参照）。したがって、つば部大径部１４１ａとつば部中径部１４１ｂは、排水口２０２内に入ることはなく、縁部２０２ａ上に載置されることになる。よって蓋体１４０は、ごみかご本体１２０に取り付けるといっても、蓋体１４０自体は、排水口２０２と係合することによって、蓋体１４０自体が吊り下げられた状態となり、蓋体１４０および当該蓋体１４０に配置された回転体１５０における回転本体１５１が、ごみかご本体１２０を圧迫しないように配置された状態となる。
【００５１】
なお、排水口の口径によっては、上述の蓋体１４０のつば部１４１におけるつば部中径部１４１ｂ、つば部小径部１４１ｃのいずれかと係合することができる。よって、生ごみ脱水機１００は、前記軸部３０と、シンクにおける排水口２０２で支えることができ、生ごみ脱水機１００の回転をよりスムーズにすることを可能にするという構成である。
【００５２】
ごみかご本体１２０は、回転本体１５１から垂れ下がるように配置された複数のかご体係合部１５４と係合しているために、ごみかご本体１２０の中心は蓋体１４０の中心と一致し、上記のとおり蓋体１４０と排水口２０２の中心も一致する。よってごみかご本体１２０は、排水口２０２よりもその径が小であるために排水口２０２の内部と多少接する場合があるものの、ごみかご本体１２０がスムーズに回転することができる。なお、排水口の大きさによって当該排水口と係合するものが、つば部中径部１４１ｂである場合は、つば部大径部１４１ａが、排水口内に入ることはなく、縁部２０２ａ上に載置されることになり、上記とほぼ同様にごみかご本体１２０がスムーズに回転することができる。
【００５３】
また、排水口２０２と異なる口径の排水口であっても、そのバリエーションは限定的であるので、あらかじめ他の口径の寸法に設定することにより、上述の蓋体１４０のつば部１４１におけるつば部中径部１４１ｂ、つば部小径部１４１ｃのいずれかと、前記排水口は係合することができる。そのために、安定して蓋体１４０を上記排水口に配置することができる。よって、蓋体１４０の中心は排水口の中心と同一線上に配置される。また、側面部１２２において複数の長片１３３と短片１３４が設けられ、各長片１３３の上端部１３３ａと上端部１３３ａの間の複数の空所１３３ｂと、回転体１５０における回転本体１５１から垂れ下がるように配置された複数の各かご体係合部１５４と係合することで蓋体１４０とごみかご本体１２０の位置が定まることにより、ごみかご本体１２０をほぼ排水口内の中心に配置することができる。よって、ごみかご本体１２０の中心と蓋体１４０の中心と排水口の中心がほぼ同一線上に配置され、また、前記軸部３０が、ごみかご本体１２０における底部１２１のほぼ中心に配置されている軸受け部１２１ａを支えることから、生ごみ脱水機１００におけるみかご本体１２０の回転をよりスムーズにすることが可能となる。なお、排水溝の口径としては、その内径が１４５ｍｍ、１４８．５０ｍｍ、７９．８ｍｍ、８６ｍｍ、８６．８０ｍｍなどのバリエーション及びその他規格も存在するが、これらに限られることはない。
【００５４】
なお、ごみかご本体１２０のフランジ部１２５が排水口２０２内の底部２０５に接しないように配置し、回転体１５０におけるかご体係合部１５４がごみかご本体１２０と係合し、蓋体１４０が、排水口２０２と係合している状態において、軸部３０の長さを適宜変更することができる。
【００５５】
また、生ごみ脱水機１００の底部１２１の中心に配置した軸受け部１２１ａを支持装置１０で支えているので、支え部１４６を手で支えつつ、把持部１７０を持ち、駆動体１６０を、円周溝１４２内において回転すると、上記のとおり、つば部１６２の内周面に配置された歯車部１６３が回転し、それと噛合する歯車１５３が回転する。前記歯車１５３は回転体１５０における軸部１５２周りに配置され一体であることから、回転体１５０におけるかご体係合部１５４が回転し、そのかご体係合部１５４と係合するごみかご本体１２０が回転することで生ごみを脱水することができる。なお、流し台２００のシンク２０１における排水口２０２の内部において、図示しない生ごみ籠が配置され、その前記生ごみ籠を取り外すと、その下の底部２０５に防臭わん２２０あるいは防臭わん２３０が配置されている場合に、それぞれ、支持装置３０あるいは７０に替えた場合においても上記と同様であるので符号を付しその説明は省略する（図１５Ａ，Ｂ参照）。
【００５６】
なお、駆動体１６０が蓋体１４０の中心からずれた位置に配置されていることから、支持装置１０を配置することなくシンク２０１における排水口２０２内に生ごみ脱水機１００のみを配置すると駆動体１６０に配置されている把持部１７０を回しても力のかかり具合が偏向し回転がスムーズにいかない可能性があるが、上記のとおり排水口２０２内に配置する際に、支持装置１０の上に生ごみ脱水機１００を配置し、かつシンク２０１の排水口２０２が当該生ごみ脱水機１００における蓋体１４０と係合することで前記排水口２０２に支持され、かつ底部１２１の中心が支持装置１０に支持されているために、駆動体１６０が蓋体１４０の中心から偏心していたとしてもスムーズに回転することができ、回収された生ごみを脱水することができる。なお、駆動体１６０が蓋体１４０の中心から偏心するというのは、駆動体１６０の回転する中心が蓋体１４０の中心からずれるということであり駆動体１６０の回転する中心と蓋体１４０の中心が一致しないということである。
【００５７】
また、前記防臭わん２１０あるいは防臭わん２２０を配置する代わりにいわゆるＳ字トラップ３２０を設けることにより悪臭を防止する場合がある。この場合、流し台２００′のシンク２０１′における排水口２０２′の内部において、図示しない生ごみ籠が配置され、その前記生ごみ籠を取り外すと、その下の排水口２０２′における底部分３００はほぼ平らである（図１６参照）。もっとも、前記底部分３００は緩やかに傾斜するものであっても問題ない。支持装置９５における軸部９６は、底部３００の中心から鉛直方向に立設されており、前記軸部９６により、生ごみ脱水機１００′におけるごみかご本体１２０′の底部１２１′の中心に配置したすり鉢状の軸受け部１２１ａ′を支えることができる。
【００５８】
この場合、上記と同様に、生ごみ脱水機１００′から、回転体１５０と駆動体１６０が取り付けられた蓋体１４０を一度取り除く。この後、調理することにより排出された生ごみを、ごみかご本体１２０内に回収したのちに、再び上記蓋体１４０をごみかご本体１２０上に載置することによって、当該蓋体１４０を取り付ける。この場合、すでに記載したとおり蓋体１４０は、排水口２０２との係合と同様に排水口２０２′と係合し、生ごみ脱水機１００と同様に脱水することができる。
【００５９】
また、前記防臭わん２１０あるいは防臭わん２２０を配置する代わりにいわゆるＳ字トラップ４３０を設けることにより悪臭を防止する場合がある。この場合、流し台２００″のシンク２０１″における排水口２０２″の内部において、図示しない生ごみ籠が配置され、その前記生ごみ籠を取り外すと、排水口２０２″の底部４００のほぼ中心に排出口４１０を設けられ、その排出口４１０に十字状のフィルター４２０が設けられている。他の実施例における支持装置９７は、そのフィルター４２０に軸部９８を配置したものである。なお、十字状のフィルター４２０の交差部４２０ａに軸部９８を鉛直に立設することが好ましい。
【００６０】
この場合、上記と同様に、生ごみ脱水機１００′から、回転体１５０と駆動体１６０が取り付けられた蓋体１４０を一度取り除く。この後、調理することにより排出された生ごみを、ごみかご本体１２０内に回収したのちに、再び上記蓋体１４０をごみかご本体１２０上に載置することによって、当該蓋体１４０を取り付ける。この場合、すでに記載したとおり蓋体１４０は、排水口２０２との係合と同様に排水口２０２″と係合し、生ごみ脱水機１００と同様に脱水することができる。なお、生ごみ脱水機１００′は、ごみかご本体１２０′と、蓋体１４０と回転体１５０と駆動体１６０と把持部１７０を有するものであり、ごみかご本体１２０′とごみかご本体１２０はその容量が相違するのみで他の蓋体１４０と回転体１５０と、駆動体１６０と把持部１７０の構成は同一である。（図１６、１７参照）。
【符号の説明】
【００６１】
１０、４０、７０、９６、９７支持装置
２０、５０、８０、防臭わん部
２１、５１、８１、筒部
２２、５２、８２、筒上部
３０、６０、９０、９６、９８軸部
５４、８４、つまみ部
１００、生ごみ脱水機
１２０、ごみかご本体
１４０、蓋体
１５０、回転体
１５４、かご体係合部
１６０、駆動体
１７０、把持部
２０１、２０１′、シンク
２０２、２０２′、排水口
２１０、２２０、防臭わん
３００、４００、底部
【図１】
2016204129.tif 000003
【図２】
2016204129.tif 000004
【図３】
2016204129.tif 000005
【図４】
2016204129.tif 000006
【図５】
2016204129.tif 000007
【図６】
2016204129.tif 000008
【図７】
2016204129.tif 000009
【図８】
2016204129.tif 000010
【図９】
2016204129.tif 000011
【図１０】
2016204129.tif 000012
【図１１】
2016204129.tif 000013
【図１２】
2016204129.tif 000014
【図１３】
2016204129.tif 000015
【図１４】
2016204129.tif 000016
【図１５】
2016204129.tif 000017
【図１６】
2016204129.tif 000018
【図１７】
2016204129.tif 000019